(57)【要約】【課題】容易に使用することができ、清潔感に優れた部材によって、局部洗浄用水が着衣の後方の裾部分に付着することを抑制することができる温水洗浄便座装置を提供すること。【解決手段】便蓋と便座を備え、人体局部洗浄用水を噴出する温水洗浄便座装置において、温水洗浄便座装置は、便蓋の内側下端部に取り付けられ、使用者が着衣の裾を掛けることができる板状の衣類掛けを有する。衣類掛けは、便蓋の開状態において前端部が斜め上方に突出する傾斜を有する。前端部の中央部には、端縁が面内方向後方に後退した凹部が形成され、凹部の幅方向両端部の外側には、それぞれ後方に向かって斜め上方に突出した衣類保持部が設けられている。【選択図】図１
2015029863.tif 000002
【特許請求の範囲】
【請求項１】
便蓋と便座を備え、人体局部洗浄用水を噴出する温水洗浄便座装置において、
前記温水洗浄便座装置は、前記便蓋の内側下端部に取り付けられ、使用者が着衣の裾を掛けることができる板状の衣類掛けを有し、
前記衣類掛けは、前記便蓋の開状態において前端部が斜め上方に突出する傾斜を有し、前記前端部の中央部には、端縁が面内方向後方に後退した凹部が形成され、前記凹部の幅方向両端部の外側には、それぞれ後方に向かって斜め上方に突出した衣類保持部が設けられていることを特徴とする温水洗浄便座装置。
【請求項２】
前記衣類掛けは、下端部が前記便蓋に固定された下部板と、前後方向面内で自重によって回動可能に前記下部板の上端部に結合され、前記凹部および衣類保持部が形成された上部板と、を有してなり、
前記上部板と前記下部板の間には、前記下部板に対して前記上部板が基準傾斜角度よりも前方に傾斜しないように規制する傾斜規制部が設けられていることを特徴とする請求項１に記載の温水洗浄便座装置。
【請求項３】
前記傾斜規制部は、前記上部板の下端部に設けられた板状の規制舌部と、前記下部板の一領域である規制受容部よりなり、前記規制舌部は、前記基準傾斜角度において、前記規制受容部と当接することを特徴とする請求項２に記載の温水洗浄便座装置。
【請求項４】
前記温水洗浄便座は、機器を収容し、前記便蓋および便座を回動可能に支持する本体部を有し、
前記衣類掛けは、前記便蓋と、前記本体部に前記便蓋が支持される便蓋回動軸との間に挟んで固定されることを特徴とする請求項１から３のいずれか１項に記載の温水洗浄便座装置。
【請求項５】
前記衣類保持部の後方側の面には、凸部が設けられていることを特徴とする請求項１から４のいずれか１項に記載の温水洗浄便座装置。
【請求項６】
前記凹部と前記衣類保持部を含む前記衣類掛けの前端縁は、連続的な曲線より構成されていることを特徴とする請求項１から５のいずれか１項に記載の温水洗浄便座装置。
【請求項７】
前記上部板および下部板のそれぞれにおいて、端縁および前記傾斜規制部および前記衣類保持部よりなる非面部を除く部位である面部は、１枚の平板状に形成され、前記面部と前記非面部は、一体に形成されていることを特徴とする請求項２から６のいずれか１項に記載の温水洗浄便座装置。
【請求項８】
前記衣類掛けの表面は、前記便蓋および便座の表面よりも高い摩擦係数を有することを特徴とする請求項１から７のいずれか１項に記載の温水洗浄便座装置。
【発明の詳細な説明】
【技術分野】
【０００１】
本発明は、温水洗浄便座装置に関し、さらに詳しくは、着衣の裾を掛ける衣類掛けを備えた温水洗浄便座装置に関する。
【背景技術】
【０００２】
ノズルから局部洗浄用水が吐出される温水洗浄便座においては、ノズルから出た局部洗浄用水や、一旦便器で跳ね返った局部洗浄用水の飛沫が、スカートをはじめとする使用者の着衣の後方側の部位に付着し、着衣を濡らしたり汚したりすることがある。このような局部洗浄用水の飛沫の着衣への付着を抑制するための部材を、温水洗浄便座装置に設けることが提案されている。
【０００３】
例えば特許文献１においては、便座を挟持する支持部と、支持部に回動可能に支持され、前方上向きに傾斜された人体当接プレートを備えてなる便器用衛生補助具が記載されている。利用者が便座に着座した際に、人体当接プレートは、その体格に応じて回動変位し、利用者に当接することにより、背中や衣服等に飛散水が付着することを抑制するために機能する。また、特許文献２においては、洋式トイレの蓋の裏の中央付近の部位に、衣服の裾を掛ける舌状の板を取り付け、ここに裾を引掛けて持ち上げることで、衣服の裾をおしりの下に敷き込まないようにする構成が記載されている。
【先行技術文献】
【特許文献】
【０００４】
【特許文献１】実用新案登録第３１４８６９７号公報
【特許文献２】実用新案登録第３１５６４５０号公報
【発明の概要】
【発明が解決しようとする課題】
【０００５】
上記特許文献１のように、人体に当接する部材が飛沫の付着を防ぐ構成によれば、飛沫が人体や衣服に付着することによる不潔感が低減されるにしても、その部材が直接肌に接触することによって不潔感や不快感が生じ、全体として、温水洗浄便座装置の清潔感は向上されにくい。一方、特許文献２のような構成によれば、蓋に沿うような形状の舌状の裾掛けが高い位置に設けられているため、衣服の裾を手等で持ち上げて裾掛けに掛ける必要があり、必ずしも使用が容易ではない。
【０００６】
本発明が解決しようとする課題は、容易に使用することができ、清潔感に優れた部材によって、局部洗浄用水が着衣の後方の裾部分に付着することを抑制することができる温水洗浄便座装置を提供することにある。
【課題を解決するための手段】
【０００７】
上記課題を解決するために、本発明にかかる温水洗浄便座装置は、便蓋と便座を備え、人体局部洗浄用水を噴出する温水洗浄便座装置において、前記温水洗浄便座装置は、前記便蓋の内側下端部に取り付けられ、使用者が着衣の裾を掛けることができる板状の衣類掛けを有し、前記衣類掛けは、前記便蓋の開状態において前端部が斜め上方に突出する傾斜を有し、前記前端部の中央部には、端縁が面内方向後方に後退した凹部が形成され、前記凹部の幅方向両端部の外側には、それぞれ後方に向かって斜め上方に突出した衣類保持部が設けられていることを要旨とする。
【０００８】
ここで、前記衣類掛けは、下端部が前記便蓋に固定された下部板と、前後方向面内で自重により回動可能に前記下部板の上端部に結合され、前記凹部および衣類保持部が形成された上部板と、を有してなり、前記上部板と前記下部板の間には、前記下部板に対して前記上部板が基準傾斜角度よりも前方に傾斜しないように規制する傾斜規制部が設けられているとよい。
【０００９】
この場合、前記傾斜規制部は、前記上部板の下端部に設けられた板状の規制舌部と、前記下部板の一領域である規制受容部よりなり、前記規制舌部は、前記基準傾斜角度において、前記規制受容部と当接することが好適である。
【００１０】
また、前記温水洗浄便座は、機器を収容し、前記便蓋および便座を回動可能に支持する本体部を有し、前記衣類掛けは、前記便蓋と、前記本体部に前記便蓋が支持される便蓋回動軸との間に挟んで固定されるとよい。
【００１１】
そして、前記衣類保持部の後方側の面には、凸部が設けられていることが好ましい。
【００１２】
また、前記凹部と前記衣類保持部を含む前記衣類掛けの前端縁は、連続的な曲線より構成されているとよい。
【００１３】
そして、前記上部板および下部板のそれぞれにおいて、端縁および前記傾斜規制部および前記衣類保持部よりなる非面部を除く部位である面部は、１枚の平板状に形成され、前記面部と前記非面部は、一体に形成されていることが好ましい。
【００１４】
また、前記衣類掛けの表面は、前記便蓋および便座の表面よりも高い摩擦係数を有することが好適である。
【発明の効果】
【００１５】
上記発明にかかる温水洗浄便座装置においては、使用者がスカートや丈の長い上衣等の着衣の裾を衣類掛けに掛けて便座に着座すれば、着衣の後方部分が持ち上げられた状態となるので、局部洗浄用水をノズルから噴出させた際に、ノズルから直接出た洗浄用水や便器で跳ね返った洗浄用水に由来する飛沫が、着衣に付着するのが抑制される。よって、局部洗浄用水の着衣への付着によって使用者に与える不潔感や不快感を低減することができる。また、突出形成された衣類保持部に使用者の着衣の一部が掛かることで、着衣が衣類掛けに安定に保持され、滑り落ちにくくなる。特に、この衣類保持部が凹部を挟んで離れた２箇所に形成されていることで、衣類保持部による衣類の保持が安定化される。また、使用者が簡単な動作で衣類保持部へ着衣を掛けることができる。
【００１６】
そして、衣類掛けの前端部の中央部には凹部が形成されており、衣類掛けに着衣の裾を掛けて便座に着座した使用者の体が、衣類掛けに直接接触することを避けることができる。局部洗浄用水の着衣への付着を抑制するための部材が人体に直接接触しないことで、局部洗浄用水の着衣への付着抑制によって向上される清潔感が、そのような人体との接触によって損なわれることがなく、温水洗浄便座全体として、高い清潔感を得ることができる。
【００１７】
さらに、衣類掛けの前端部中央に凹部が形成されていることから、必然的にその両端部が相対的に前方にせり出した形状となっており、このせり出した部分に衣類保持部が形成されることになる。つまり、衣類掛けにおいて、単一の前端縁の形状によって、凹部による清潔感と衣類保持部による衣類保持の利便性を両立することができる。
【００１８】
ここで、衣類掛けが、下端部が便蓋に固定された下部板と、前後方向面内で自重により回動可能に下部板の上端部に結合され、凹部および衣類保持部が形成された上部板と、を有してなり、上部板と下部板の間に、下部板に対して上部板が基準傾斜角度よりも前方に傾斜しないように規制する傾斜規制部が設けられている場合には、便蓋を閉状態とした際に、下部板が便蓋の内側の面に沿うような状態となり、上部板も便蓋の内側に収納されやすくなるので、便蓋を閉めた状態に維持することを衣類掛けが妨げにくくなっている。一方、便蓋を開状態とすると、自動的に上部板が前方に回動し、下部板に対して基準傾斜角度で前方に傾斜した状態となり、使用者が着衣の裾を掛けられる状態に保持される。さらに、使用者が衣類掛けの使用を望まない場合には、上部板を後方に回動させておくことで、使用者の体や着衣に衣類掛けが接触しにくい状態に維持することができる。これらのように、衣類掛けが上部板と下部板から構成され、傾斜規制部によってそれらの間の傾斜角度が規定されることで、温水洗浄便座装置の状態に応じて、高い利便性をもって衣類掛けを取り扱うことができる。
【００１９】
この場合、傾斜規制部が、上部板の下端部に設けられた板状の規制舌部と、下部板の一領域である規制受容部よりなり、規制舌部が、基準傾斜角度において、規制受容部と当接する構成によれば、付勢部材等を用いない単純な構成で、基準傾斜角度を超えた上部板の回動を高確度に阻止することができる傾斜規制部を実現することができる。
【００２０】
また、温水洗浄便座が、機器を収容し、便蓋および便座を回動可能に支持する本体部を有し、衣類掛けが、便蓋と、本体部に便蓋が支持される便蓋回動軸との間に挟んで固定される場合には、ねじ等を用いずに、簡便に衣類掛けを便蓋の内側下端部に位置決めし、取り付けることができる。この際、衣類掛けを便蓋と回動軸との間の空隙に差し込む深さを調節することで、使用者の好み等に合わせて、衣類掛けの取り付け位置をある程度調節することができる。
【００２１】
そして、衣類保持部の後方側の面に、凸部が設けられている場合には、ほつれ等、着衣の裾に損傷を与えることを避けながら、衣類保持部において着衣の裾をしっかりと保持することができる。
【００２２】
また、凹部と衣類保持部を含む衣類掛けの前端縁が、連続的な曲線より構成されている場合には、衣類掛けの意匠性が高くなり、温水洗浄便座全体の意匠を妨げにくくなる。
【００２３】
そして、上部板および下部板のそれぞれにおいて、端縁および傾斜規制部および衣類保持部よりなる非面部を除く部位である面部が、１枚の平板状に形成され、面部と非面部が、一体に形成されている場合には、衣類掛け全体が平板に近い、薄い形状に形成される。これにより、衣類掛けが一層温水洗浄便座全体の意匠性を妨げにくくなるとともに、衣類掛けの清掃性が向上する。さらに、便蓋の中央部が便座側に陥没している場合など、便蓋を閉状態とした際に便座との間に狭い空間しか形成されない場合にも、衣類掛けを便蓋と便座の間に収容しやすくなる。
【００２４】
また、衣類掛けの表面が、便蓋および便座の表面よりも高い摩擦係数を有する場合には、衣類掛けから衣類が滑り落ちにくくなり、衣類掛けの使用における利便性が高められる。
【図面の簡単な説明】
【００２５】
【図１】本発明の一実施形態にかかる温水洗浄便座装置の便蓋開状態を示す斜視図である。
【図２】上記温水洗浄便座装置に備えられる衣類掛けの便蓋開状態における正面図である。
【図３】上記衣類掛けの便蓋開状態における背面図である。
【図４】上記衣類掛けの便蓋開状態におけるＡ−Ａ断面図である。
【図５】上記温水洗浄便座装置の透視側面図であり、（ａ）は便蓋閉状態、（ｂ）は便蓋開状態を示している。
【図６】上記温水洗浄便座装置の使用状態を示す側面図である。
【発明を実施するための形態】
【００２６】
以下、本発明の一実施形態にかかる温水洗浄便座装置について、図面を参照しながら詳細に説明する。本明細書において、方向に関する表示は、便座２に着座した使用者にとっての方向に対応するものとする。つまり、便座２が設けられた方向が前方、本体部４が設けられた側が後方となり、図１の上下方向が上下となる。そして、これらに直交する方向が幅方向となる。また、便蓋３に関して、内側とは、便座２と対向する、図１で前方に露出している面を指すものとする。
【００２７】
図１に示すように、本発明の一実施形態にかかる温水洗浄便座装置１は、便座２と、便蓋３と、本体部４と、衣類掛け５を有してなり、全体で１つのユニットとして、便器９の上面に据え付けられる。便座２は、着座部となるものであり、便蓋３は、便座２の上方を覆うものである。本体部４は、人体局部洗浄用に温水を噴出する局部洗浄装置や、乾燥用の温風を発生させる温風乾燥装置等、種々の機器の構成部材や制御部を内蔵している。便座２は、本体部４の前方に設けられた回動軸（不図示）において、回動によって開閉可能に支持されている。便蓋３も、本体部４の前方に設けられた便蓋回動軸３１において、便座２と独立に回動によって開閉可能に支持されている。ここで、便蓋３に関して、開状態とは、図１および図５（ｂ）のように便蓋３を上方に回動させて跳ね上げた状態を指し、閉状態とは、図５（ａ）のように便蓋３を下方に回動させて便器９と接触させた状態を指す。
【００２８】
本温水洗浄便座装置１は、便蓋３の内側に設けられた衣類掛け５に特徴を有する。図２〜４に、衣類掛け５の構成を示す。衣類掛け５は、下部板５１と上部板５２の２つの板状の部材を有してなっている。下部板５１は、図１のように、本体部４のうち便蓋３の前方に位置する部位４１を跨いで設けられた１対の脚部５８，５８において、便蓋３と、本体部４に設けられた便蓋回動軸３１との間に挟みこまれることで、便蓋３に対して固定されている。便蓋３に固定された下部板５１は、便蓋３の開状態において、略上方に立ち上がった状態となっている。そして、上部板５２は、下部板５１の上端部に、例えば図３に示すＢ軸上に設けられた軸部材のような回動部材によって、下部板５１に対して前後方向面内に回動可能に結合されている。上部板５２および下部板５１の幅は、便蓋３の内側面の幅と略等しくなっている。
【００２９】
上部板５２の下端部には、略半円形に突出した板状の規制舌部５３が一体に形成されている。そして、下部板５１の上端部には、規制受容部５４が形成されている。図４に示されるように、規制受容部５４は、規制舌部５３の外形と略同形状の領域において、下部板５１の前方面が後方面側に後退したものとして形成される。そして、上部板５２が下部板５１に対して前方に回動した際、上部板５２と下部板５１の間の角度が基準傾斜角度θｒに達すると、上部板５２の規制舌部５３の後方面５３ａが下部板５１の前方面５４ａに当接する。これにより、上部板５２が下部板５１に対して基準傾斜角度θｒを超えて前方に回動することが阻止され、上部板５２の回動が基準傾斜角度θｒにおいて停止される。
【００３０】
上部板５２の上端部の幅方向中央部には、端縁が面内方向後方に略円弧状に後退した凹部５５が形成されている。そして、凹部５５の端縁を含む上部板５２の外縁には、後方面に略垂直に後方へ立ち上がった上部板縁部５６が一体的に形成されている。この上部板縁部５６のうち、凹部５５の幅方向両端部の外側の位置、つまり上部板５２の前端縁の幅方向両端部近傍には、他の部位よりも上部板縁部５６が高く形成されることにより、後方斜め上方に向かって突出した１対の衣類保持部５７，５７が形成されている。衣類保持部５７，５７の裏側、つまり後方側の面には、凸部として、上部板５２の後方面に略垂直に立てられた複数の板片よりなるリブ部５７ａ，５７ａが設けられている。複数の板片は、前後方向に略平行に、幅方向に間隔を空けて並べて配置されている。
【００３１】
上記のような衣類掛け５を備えた温水洗浄便座装置１においては、衣類掛け５がそれぞれ板状の下部板５１および上部板５２よりなり、下部板５１が便蓋３の下端部に固定され、上部板５２がその下部板５１に対して回動可能となっていることから、便蓋３を閉状態とすると、図５（ａ）のように、下部板５１が、便蓋３の内側面に沿うようにして、便蓋３とともに前方に倒れる。この際、上部板５２は重力によって下方に倒れ、図５（ａ）のように、基準傾斜角度θｒよりも小さい傾斜角度が下部板５１との間に形成された状態で便座２と当接するか、あるいは便座２と当接する角度よりも小さい基準傾斜角度θｒにおいて保持される。このようにして、下部板５１、上部板５２とも、閉状態にある便蓋３の内側面と便座２の間に形成される空間に収容され、衣類掛け５が設けられない場合と変わりなく便蓋３を閉めることができる。
【００３２】
一方、便蓋３を開状態とした際には、図５（ｂ）および図１〜４に示すように、便蓋３に固定された下部板５１は、やはり便蓋３の内側面に沿うようにして、略上方に立ち上がった状態となる。上部板５２は、下端部において回動可能に下部板５１に結合されていることから、自重によって下部板５１の面よりも前方に回動した状態となる。そして、規制舌部５３が規制受容部５４に当接することで、上部板５２が下部板５１に対して前方に基準傾斜角度θｒだけ回動し、上方が斜め前方に傾斜した状態で、上部板５２が保持される。便蓋３が閉状態にある際に、図５（ａ）のように上部板５２が下部板５１に対して基準傾斜角度θｒよりも小さい角度をなして便座２に当接していた場合には、便蓋３を開状態とするのに伴って、上部板５２がさらに前方に回動し、上部板５２と下部板５１との間の角度が大きくなる。そして、上部板５２と下部板５１の間の角度が基準傾斜角度θｒに達した時点で、上部板５２の回動が停止される。
【００３３】
このように、便蓋３を開状態とした際には、衣類掛け５の上部板５２が、上方に向かって斜め前方に傾斜した状態となり、上部板５２の凹部５５や衣類保持部５７，５７が形成された前端縁が前方斜め上にせり出した状態となる。このように、便蓋３の下端部近傍から前方斜め上にせり出した板状の衣類掛け５が温水洗浄便座装置１に備えられることで、温水洗浄便座装置１の使用者は、図６のように、スカートやワンピースのように下肢部分が開放された衣類や、ジャケットのような裾の長い上衣等の着衣Ｃの裾を衣類掛け５に掛けた状態で便座２に着座することができる。温水洗浄便座装置１においては、ノズルから直接出た局部洗浄用水や、一旦便器９で跳ね返った局部洗浄用に由来する飛沫が、使用者の後方に飛散する場合があるが、このように、衣類掛け５に着衣Ｃの裾を掛けておけば、着衣Ｃの裾部分が上方に持ち上げられた状態となるので、そのような飛沫が付着することで着衣Ｃを濡らしたり汚したりすることが抑制される。
【００３４】
特に、上部板５２の前端部の幅方向両端近傍の部位に、後方に向かって斜め上方に突出して衣類保持部５７，５７が形成されているので、この部分がフックのように作用し使用者の着衣の裾を持ち上げることで、使用者の着衣が衣類掛け５に掛った状態が強く保持される。これにより、便座２に着座した使用者の動き等に伴って、衣類掛け５から使用者の着衣が滑り落ちることが防止される。また、衣類保持部５７，５７が、幅方向に離れた２箇所に形成されていることにより、着衣が幅方向に離れた２点で支持され、舌状（特許文献２参照）やフック状の衣類掛けのように、１点で支持される場合と比較して、着衣が安定に支持され、衣類掛け５から滑り落ちにくくなっている。とりわけ、後述するように、凹部５５が利用者の体と衣類掛け５との接触を避けられるような形状に形成されていることで、凹部５５の幅方向両端部に設けられた衣類保持部５７，５７が、使用者の体の幅よりも広い間隔をあけた２点で使用者の着衣を支持することになるので、着衣の支持が安定に行われるとともに、局部洗浄用水による飛沫の付着が、着衣の幅方向全領域において高確度に抑制される。
【００３５】
さらに、衣類保持部５７，５７の後方面にリブ部５７ａ，５７ａが形成されていることで、着衣の裾とリブ部５７ａ，５７ａとの間に摩擦が生じ、使用者が衣類掛け５に着衣の裾を掛けて便座２に着座した状態において、衣類保持部５７，５７からの衣類の滑落が一層起こりにくくなっている。特に、複数の板状片が前後方向に略平行に並べられたリブ部５７ａ，５７ａの構成により、衣類保持部５７，５７の幅方向への保持力が大きくなり、この方向への衣類の滑落が強固に防止される。一方で、衣類掛け５に着衣の裾を掛けて便座２に着座した使用者が、起立すべく斜め前方に立ち上がった際に、着衣の裾がスムーズに使用者の体の動きに追随して、衣類掛け５から解放される。これにより、衣類の裾の一部が衣類保持部５７，５７に引掛ったまま残され、裾のほつれ等の損傷が衣類に生じることが防止される。
【００３６】
また、便蓋３内側の下端部に取り付けられ、斜め上方に向かう傾斜を有する上部板５２の前端部の幅方向両端部近傍に、このような衣類保持部５７，５７が形成されていることにより、便座２への着座時に衣類掛け５に衣類を掛けるための動作が行いやすくなっている。つまり、温水洗浄便座装置１の使用者が衣類掛け５を容易に使用することができる。使用者は通常、便座２に着座しようとする際に、大腿部や臀部等、自らの体と便座２との間に着衣を挟まないように、着衣の裾を持ち上げるようにしながら体勢を下げ、着座姿勢に至る。この際、衣類掛け５が便蓋３の下端部に取り付けられており、衣類保持部５７，５７が便蓋３全体のうちで比較的低い位置に配置されていること、そして衣類掛け５に形成された傾斜によって衣類掛け５と便蓋３との間に隙間が形成されていることにより、持ち上げられた衣類の裾が、着座動作の途中で、自然に衣類保持部５７，５７に捕捉されやすい。特に、スカートやワンピース等を着用した女性が便座２に着座する際には、それらの裾を大きく持ち上げながら着座する動作を自然に行うので、とりわけ裾が衣類保持部５７，５７に捕捉されやすい。このように、着衣の裾を手等で持って衣類保持部５７，５７に掛けたうえで着座動作を行う等、衣類掛け５に着衣を掛けることに特化した動作を使用者が行わなくても、着座動作に伴って、衣類保持部５７，５７に着衣の裾が捕捉されることで、着衣が衣類掛け５に自然にかかる場合が多い。
【００３７】
一方、着衣の種類や使用者の体格、着座位置等によって、着座動作時に自然に衣類掛け５に着衣が掛らない場合には、使用者が手等を用いて衣類掛け５に着衣の裾を掛ける必要が生じるが、衣類掛け５が便蓋３の下端部に取り付けられていること、傾斜によって衣類保持部５７，５７と便蓋３との間に隙間が形成されていること、および衣類保持部５７，５７が衣類掛け５の幅方向両端部近傍に形成されていることにより、この動作が行いやすくなっている。特許文献２における裾掛けのように、便蓋３に沿うような形状の衣類掛けが、便蓋３において幅方向および高さ方向の中央部近傍に取り付けられている場合には、着衣の裾を高く持ち上げ、さらに便蓋３の幅方向中央付近が目視できるように大きく後方を振り返りながら、便蓋３と衣類掛け５の間の狭い隙間に着衣の裾を掛ける必要がある。これに対し、上記のような衣類掛け５の構成によれば、大きく振り返ったり、着衣の裾を高く持ち上げたりすることなく、大きく形成された便蓋３と衣類掛け５の間の隙間に、着衣の裾を掛けることができる。
【００３８】
上記衣類掛け５においては、凹部５５の構成も大きな特徴となっている。上部板５２の前端縁の中央部に凹部５５が形成されていることで、上部板５２の前端縁が便座２に着座した使用者の背中等、体の部位に触れる可能性が低減されている。便座装置およびそれに付属する部材が直接使用者の人体に接触すると、使用者は不潔感や不快感を覚える場合がある。しかし、このように凹部５５を形成し、衣類掛け５と使用者の体との接触を回避することで、着衣を衣類掛け５に掛けて飛沫の付着から保護することによって得られる清潔感が、衣類掛け５と人体との接触によって損なわれにくくなる。この意味において、凹部５５の幅および奥行等の形状は、想定される使用者の平均的な体格等に基づいて、余裕をもって使用者との接触が避けられるように設計することが好ましい。
【００３９】
このように、上部板５２の前端縁の中央部に凹部５５が形成されると、必然的に凹部５５の幅方向両端部の外側が、上部板５２の前端縁全体の中で相対的に前方に位置することになる。そこで、凹部５５の両端部外側のこの部位に衣類保持部５７，５７を形成すれば、その衣類保持部５７，５７は、必然的に衣類掛け５全体の中で前方にせり出した部位に形成されることになり、使用者が着座する際に、衣類保持部５７，５７に衣類が掛りやすくなる。つまり、人体と衣類掛け５の間の接触を避けるための凹部５５と、前方にせり出した位置に形成され、衣類を保持しやくする衣類保持部５７，５７の両方の構成を、上部板５２の前端縁における単一の連続的な形状によって実現することができる。これにより、前端部を含む上部板５２の形状を簡素に形成することができ、衣類掛け５の意匠性と清掃性を高くすることができる。これらの点において、凹部５５および衣類保持部５７，５７が形成された部位を含む上部板５２の前端縁、さらには前端縁に連続する側端縁は、連続的で滑らかな曲線形状よりなることが好ましい。
【００４０】
以上のように、便蓋３の内側面の下端部に固定され、前端部が斜め上方に突出する傾斜を有した衣類掛け５の前端部に凹部５５と衣類保持部５７，５７を設ければ、衣類掛け５の構造の詳細によらず、容易に使用することができ、清潔感に優れた衣類掛け５とすることができる。この意味において、例えば衣類掛け５を上部板５２と下部板５１より構成するのではなく、単一の板状部材より形成し、便蓋３に対して所定の傾斜を有した状態で便蓋３の内側下端部に取り付ける構成とすることもできる。しかし、上記のように、便蓋３に固定された下部板５１と、下部板５１に回動可能に連結された上部板５２から衣類掛け５を構成することで、ばね等の付勢部材を使用しなくても、便蓋３の開状態および閉状態の両方において、衣類掛け５をそれぞれの場合に好適な状態に保持することができる。つまり、図５に示すように、便蓋３を閉状態とした際に、衣類掛け５が便蓋３の内側に収容され、便蓋３を閉状態に維持することを妨げず、かつ開状態とした際に、自動的に、上部板５２の自重による回動によって、上部板５２が衣類の保持に好適な前方に傾斜した状態となるという効果が得られる。さらに、上部板５２を後方に回動させ、便蓋３の内側面にもたれかけさせるようにすることで、衣類掛け５が使用者の体にも着衣にもほとんど接触しない状態とすることができるので、使用者が衣類掛け５の使用を望まない場合にも、使用者の邪魔になりにくい。
【００４１】
規制舌部５３と規制受容部５４の当接によって規定される基準傾斜角度θｒは、便蓋３の開状態において使用者が着衣を掛けやすく、かつ衣類掛け５自体が便座２に着座した使用者の邪魔にならないように、３０〜６０度の範囲とすることが好ましく、４５度付近とすることが特に好ましい。具体的な基準傾斜角θｒは、規制舌部５３の上部板面部Ｐ２に対する角度、規制受容部５４の前方面５４ａの前後方向位置、規制舌部５３と規制受容部５４の相対的配置等によって規定される。なお、下部板５１が略上方に立ち上がった状態で便蓋に固定されていることから、上部板５２が鉛直方向に対してなす角度も、上記の上部板５２と下部板５１の間の角度にほぼ一致する。
【００４２】
さらに、上記衣類掛け５においては、下部板５１および上部板５２のうち、非面部を除く部位である下部板面部Ｐ１および上部板面部Ｐ２が、それぞれ１枚の平板状に形成されている。そして、下部板面部Ｐ１および上部板面部Ｐ２は、それぞれ非面部と一体に形成されている。ここで、非面部とは、下部板５１における規制受容部５４、および外縁に立設された下部板縁部５９、そして、上部板５２における衣類保持部５７，５７を含む上部板縁部５６、および規制舌部５３を指す。これらの構成により、衣類保持部５７，５７をはじめとする非面部が面部Ｐ１，Ｐ２から突出している高さを除いて、下部板５１および上部板５２全体がそれぞれ１枚の薄い板状に形成された状態となっている。さらに、上部板５２と下部板５１との間の回動角度を調整することにより、衣類掛け５全体を、あたかも１枚の薄板のような状態とすることができる。これにより、便蓋３の中央部が便座２方向に陥没している場合など、便蓋３を閉状態とした際に便座２との間に形成される空間が狭い場合にも、その空間に衣類掛け５を収容することができる。また、便蓋３の開状態においても、衣類保持部５７，５７が前後方向に占める空間が狭くなり、衣類掛け５が温水洗浄便座装置１全体の意匠を妨げにくくなる。加えて、衣類保持部５７，５７全体が平面的であることにより、拭き取り等を行いやすく、衣類掛け５の清掃性も高くなる。
【００４３】
さらに、下部板５１の脚部５８，５８において便蓋３と本体部４の便蓋回動軸３１との間に挟み込むことで、便蓋３の下端部に衣類掛け５を取り付けることができるので、ねじ留め等を行う場合に比較して、衣類掛け５の取り付けを容易に行える。また、便蓋３の下端部の幅は、温水洗浄便座装置の機種によらず、ほぼ一定であるため、種々の温水洗浄便座装置に対して、後付けにて衣類掛け５を設置しやすい。加えて、脚部５８，５８を所定の部位に差して挟み込めば、衣類掛け５の位置が規定されるので、取り付けを行う者の技術等に依存せず、便蓋４の開状態において着衣を掛けるのに適した衣類掛け５の取付け位置を実現することができる。脚部５８，５８を差して挟み込む深さを調節することで、使用者の好み等に応じて、衣類掛け５の上下方向の取り付け位置をある程度調節することは可能である。
【００４４】
下部板５１に対する上部板５２の傾斜角度を規定する傾斜規制部は、上記の衣類掛け５においては、上部板５２に形成された規制舌部５３と下部板５１に形成された規制受容部５４より構成された。これにより、簡素な構成で傾斜規制部を形成することが可能となっている。さらに、規制舌部５３および規制受容部５４は、上部板面部Ｐ２および下部板面部Ｐ１とそれぞれ連続的に形成されており、衣類掛け５全体の意匠によくなじみ、大げさな印象を与えない。この点において、意匠性の高い傾斜規制部となっている。ただし、傾斜規制部の簡素化と意匠性の点においては劣るものの、ばねのような付勢部材等、任意の傾斜規制部の構成を適用することもできる。
【００４５】
衣類掛け５は、どのような材料よりなってもかまわないが、加工性や清掃性、強度等を考慮すると、便座や便蓋と同様に、硬質の樹脂材料よりなることが好ましい。また、掛けた衣類を滑り落ちにくくするため、表面の摩擦係数が高いことが好ましい。目安としては、便蓋３および便座２の表面よりも高い摩擦係数を有していることが好ましい。衣類掛け５の表面の摩擦係数を高める方法としては、例えば、塗装等によってエラストマー等の高い摩擦係数を有する材料よりなる層を衣類掛け５の表面に形成することが挙げられる。
【００４６】
衣類掛け５の表面の色は、どのようなものであっても構わないが、従来一般の温水洗浄便座装置において、衣類掛けや類似の部材が設けられることが少ないことに鑑みると、衣類掛け５が温水洗浄便座装置１のそれ以外の部位と類似した色であると、衣類掛け５が設置されていることが使用者に十分な印象をもって認識されず、使用されないことも考えられる。温水洗浄便座装置１の衣類掛け５以外の部位は、白色に近い色やごく淡いパステルカラーで構成されることが多いので、衣類掛け５は、高い存在感をもって使用者に認識されるように、これらとは異なる色で構成されることが好ましい。かつ、温水洗浄便座装置１全体の清潔感のある意匠を衣類掛け５が損なうほど印象が強くなりすぎないように、鮮やかでかつ清潔感のある色を衣類掛け５に採用することが好ましい。このような色としては、水色や淡い緑色を例示することができる。
【００４７】
以上、本発明の実施形態について詳細に説明したが、本発明は上記実施例に何ら限定されるものではなく、本発明の要旨を逸脱しない範囲で種々の改変が可能である。
【符号の説明】
【００４８】
１              温水洗浄便座装置
２              便座
３              便蓋
４              本体部
５              衣類掛け
５１            下部板
５２            上部板
５３            規制舌部
５４            規制受容部
５５            凹部
５６            上部板縁部
５７            衣類保持部
５７ａ          リブ部
５８            脚部
５９            下部板縁部
【図１】
2015029863.tif 000003
【図２】
2015029863.tif 000004
【図３】
2015029863.tif 000005
【図４】
2015029863.tif 000006
【図５】
2015029863.tif 000007
【図６】
2015029863.tif 000008